【事件の表示】
　特願２００１−５２１０８３「スケーラブル符号化」拒絶査定不服審判事件〔平成１３年　３月　８日国際公開、ＷＯ０１／１７２６９、平成１５年　３月　４日国内公表、特表２００３−５０８９８２〕について、次のとおり審決する。
【結　論】
　本件審判の請求は、成り立たない。
【理　由】
第１　経緯　  
 　  
［１］手続  
　本願は、平成１２年８月２４日（パリ条約による優先権主張外国庁受理１９９９年８月２７日、欧州特許庁）を国際出願日とする出願であって、手続の概要は以下のとおりである。 
 　
手続補正　　　　　　　　：平成１３年　５月　１日 
拒絶理由通知　　　　　　：平成２２年１０月２０日（起案日） 
手続補正　　　　　　　　：平成２３年　１月１９日 
拒絶査定　　　　　　　　：平成２３年　２月２１日（起案日） 
拒絶査定不服審判請求　　：平成２３年　６月　３日 
手続補正　　　　　　　　：平成２３年　６月　３日 
前置審査報告　　　　　　：平成２３年　８月　２日 
審尋　　　　　　　　　　：平成２４年　４月１３日（起案日） 
回答書　　　　　　　　　：平成２４年１０月　４日
補正却下（平成２３年６月３日付け手続補正に対して）
　　　　　　　　　　　　：平成２４年１２月２０日（起案日）
拒絶理由通知（当審）　　：平成２４年１２月２０日（起案日）
手続補正　　　　　　　　：平成２５年　４月　８日 
誤訳訂正　　　　　　　　：平成２５年　４月　８日
　
［２］拒絶の理由  
　平成２４年１２月２０日に当審が通知した拒絶の理由（拒絶の理由２）は、概略、以下のとおりである。  
　本願の請求項１−１０に係る発明（平成２３年１月１９日付け手続補正による）は、下記の刊行物に記載された発明に基づいて当業者が容易に発明をすることができたものであるから、特許法第２９条第２項の規定により、特許を受けることができない。  
　　　　　記　　  
１．Wallace, G.K., et.al., THE JPEG STILL PICTURE COMPRESSION STANDARD, IEEE Transactions on Consumer Electronics, Vol.38, No.1, Feb. 1992, pages.xviii-xxxiv, ISSN:0098-3063
　
２．Frajka, T.、Progressive image coding with spatially variable resolution、Image Processing, 1997. Proceedings., International Conference on、米国、1997.10.発行、vol.1、53 - 56 
　
３．越智　宏、黒田英夫、図解でわかる　画像圧縮技術、日本、1999.01.25発行、133-141,186,187 
　
４．特開平５−８３５６７号公報 
　
５．特開平５−２５２４９９号公報 
　
６．国際公開第１９９８／３４３９８号（参照公報：特表２００２−５０１６８７号公報）　
　
第２　本願発明　  
　本願の請求項１に係る発明（以下、「本願発明」という。）は、平成２５年４月８日付けの手続補正書により補正された特許請求の範囲の請求項１に記載された事項により特定される、以下のとおりのものである。
　
【請求項１】
　離散コサイン変換（ＤＣＴ）ブロックのＤＣＴ変換係数により表される画像信号を符号化する方法であって、
　当該方法は、
　符号化器が、それぞれの個々のＤＣＴ変換ブロックに対するそれぞれのビットストリームを生成するステップと、
　前記符号化器が、それぞれの個々のＤＣＴ変換ブロックのそれぞれのビットストリームの選択された部分を周期的に且つ順次に走査することによりスケーラブルビットストリームを得るステップとを有し、
　走査周期は、符号化された画像の中心にあるＤＣＴ変換ブロックで開始し、前記符号化された画像の増加する領域内のＤＣＴ変換ブロックを走査し、
　前記選択された部分のビット数は、ＤＣＴ変換ブロック毎に異なる、
　方法。
　
第３　引用刊行物の記載  
（１）刊行物１の記載事項 
　当審における拒絶の理由の通知において引用された「越智　宏、黒田英夫、図解でわかる　画像圧縮技術、日本、1999.01.25発行、133-141,186,187」（以下、「刊行物１」という。）には、図面と共に以下の事項が記載されている。
　
３．ＪＰＥＧのオプション方式
１．復号の途中でも画像内容の概略がわかる符号化
（１）シーケンシャル符号化とプログレッシブ符号化
　ＪＰＥＧには、必須機能として位置づけられている基本方式（Baseline　System）の他に、ＤＣＴを使うオプション機能として以下に説明する拡張方式（Extended　System）があります。
　画像を伝送する場合、通常は左上から右下に向けて順次符号を伝送し、受信器では復号した画像を順次出力してゆきます。ファクシミリのように、受信の途中で画像を見ると上から下へ少しずつ見えてきます。そのため、下の方は最後に受信するまでどのような内容になっているかわかりません。このような符号化方法を「シーケンシャル（Sequential）符号化」と呼びます。先述した基本方式はシーケンシャル符号化です（図5-22）。
　インターネットで受信中に待っている間など、概略でもよいから途中でどんな画像かを知りたい場合があります。受信（復号）の途中で、まず大まかな画像を出力し、順次細かい変化が表示されるなら、初期の段階で画像内容の概要を知ることができます。このような符号化を「プログレッシブ（Progressive）符号化」と呼びます。拡張方式はプログレッシブ符号化を実現するためのオプション機能が主な内容です。
（２）プログレッシブ符号化の実現方法
　プログレッシブ符号化の重要な特徴は、大まかな出力画像から徐々に品質を良くして、最終的に原画像を再現することです。その方法としては以下の手段があり、拡張方式ではこれらプログレッシブ符号化機能のいずれか、あるいは組み合わせて適用することができます。また、ハフマン符号のかわりに後述する算術符号を使うことができます。
　ａ）周波数分割型（Spectral　Selection）
　　　ＤＣＴ係数は、画像を周波数成分の組み合わせで表現する場合各成分の大きさを表します。そのうち、周波数の高い成分ほど画像への影響が少ないので、低い周波数成分から順に伝送します。受信側では、途中までのＤＣＴ係数だけを使って、高周波成分による細かい変化はわからなくても大まかな画像を出力できます。また、全部のＤＣＴ係数（すべての画像情報に相当）を受信し終わった時点では原画像を再現できます。
・・・・・
（３）ＤＣＴ係数の送り方とプログレッシブ符号化
　画像は多数のブロックから構成されています。また、１つのブロックには６４個の画素がありますが、これをＤＣＴ変換すると６４個のＤＣＴ係数が得られます。個々の係数は２進数８桁、すなわち８個の１あるいは０で表されるとします。全画像情報を伝えるには、“８桁”のＤＣＴ係数が“６４個”あるブロックを“ブロックの個数”だけ、すなわち、“１”と“０”を「８×６４×ブロックの数」だけ伝送する必要があります。シーケンシャル、プログレッシブの主な相違点は、これらの伝送順序です。
　次ページの図5-23は、画像情報を表すビットを３次元的に配列したもので、１つの素片は１または０の１ビットを表わし、手前から奥に向かってブロックの情報が並びます。最も手前が最初のブロックです。また、各ブロックごとに、上から下に向かってＤＣＴ係数の値が、周波数の低い（ジグザグスキャンの）順に並んでいます。上端がＤＣ係数（直流分）の値で左から右に８ビットあります。各ＤＣＴ係数の値は左端が最上位桁（ＭＳＢ）、右端が最下位桁（ＬＳＢ）の８ビットで表されます。なお、図中の「スキャン」は画像を一順することを示します（詳しくは、１４７ページの本章４．１項参照）。
　ブロック順に、手前から奥に向けて伝送するのがシーケンシャルです。周波数分割形は、ジグザグスキャンの順に上から下に向けて伝送します。また近似精度向上形では、ＤＣＴ係数の上位の桁から下位の桁、すなわち左端から右端に向けて伝送します。実際には、量子化、ランレングス等の変換や、ハフマン符号への置き換えを行うので、これら素片をそのまま送るわけではありませんが、情報の大まかな伝送順序は以上のとおりです。周波数分割形や近似精度向上形のプログレッシブ符号化では、ブロック横断的に伝送していることがわかります。
　周波数分割形をシーケンシャルと比較すると、ＤＣＴ係数の伝送順序が変わっているだけですが、近似精度向上形は計数値を桁ごとに分割する処理が必要になります。そのため、プログレッシブを実現するためには周波数分割形を基本とし、近似精度向上形を組み合わせることでさらにプログレッシブの段階を多くすることができます。
２．周波数分割形プログレッシブ符号化
　この方式はSpectral　Selectionと呼ばれ、ＤＣＴ係数の伝送は、ＤＣ係数につづき、ＡＣ係数をジグザグスキャンの順に行ないます。
　８×８画素の１ブロックをＤＣＴ変換したとき、図5-24のような８×８のＤＣＴ係数が得られます。このＤＣＴ係数は全部で６４個ありますが、このＡＣ係数を、たとえば図のように、○１〜○４の４つのグループ（各グループをバンドと呼びます）に分けます。○１は最も周波数の低い部分で、○２○３○４の順に周波数が高くなります。次に○２、さらに○３・・・の順に符号化して伝送します。（電子情報処理組織では、○の中に数字が入った文字は表示することができないので、○の中に数字の１が入った文字は、○１、○の中に数字の２が入った文字は、○２のように表記する。）
　１１４ページの図5-2のようにブロックが１〜ＮまでＮ個あるとき、符号を図5-25の順に並べます。全ブロックのＤＣＴ係数を符号化する点では基本方式と同じなので、最終符号量はほとんど変わりません。
　ＤＣ成分は各ブロックの画素値の平均を表わすので、ＤＣ係数を受信しただけでも、各ブロックの画素値のだいたいの値がわかることになり、画像内容が大まかにわかります。○１のバンドを受信した段階では、○２○３○４の部分のＤＣＴ係数（ＡＣ係数）を０として、逆ＤＣＴを行なえば、高い周波数成分は欠落しているものの概略画像が得られます。さらに、○２部分を全ブロック受信した段階では、○１○２部分に正しいＤＣＴ係数（ＡＣ係数）を使って逆変換することにより、より画質のよい画像を再現できます。次に○３、さらに○４部分のＤＣＴ係数を順次追加することにより高い周波数成分が補充され、最終的に○１〜○４の全てを受信した段階で原画像が再現できます。（１３３ページ１行〜１３８ページ３行）
　
６．スケーラビリティ
　ＭＰＥＧ２は、いろいろなアプリケーションに適用可能な標準方式として位置づけていますので、いろいろな点で互換性があることが望まれます。このような技術をスケーラビリティといいます。スケーラビリティとは、階層的に空間解像度、時間解像度あるいは画像品質などを向上させる機能をさします。ここでいう“階層的”とは、ＪＰＥＧのプログレッシブ符号化やハイアラーキカル符号化のように、段階的に符号を追加することにより品質を向上させることが該当します。（１８６ページ１行〜８行）
　
第４　刊行物に記載された発明
　以上の記載によれば、刊行物１には次の発明（以下、刊行物１発明という。）が記載されている。
　
（４−ａ）「ＤＣＴ変換係数により表される画像信号の符号化」
　上記刊行物１の記載によれば、「（３）ＤＣＴ係数の送り方とプログレッシブ符号化
　画像は多数のブロックから構成されています。また、１つのブロックには６４個の画素がありますが、これをＤＣＴ変換すると６４個のＤＣＴ係数が得られます。個々の係数は２進数８桁、すなわち８個の１あるいは０で表されるとします。全画像情報を伝えるには、“８桁”のＤＣＴ係数が“６４個”あるブロックを“ブロックの個数”だけ、すなわち、“１”と“０”を「８×６４×ブロックの数」だけ伝送する必要があります。シーケンシャル、プログレッシブの主な相違点は、これらの伝送順序です。」とあるから、画像をＤＣＴ変換し、得られたＤＣＴ係数を伝送することに関する発明が開示されているといえる。
　また、刊行物１には、
「インターネットで受信中に待っている間など、概略でもよいから途中でどんな画像かを知りたい場合があります。受信（復号）の途中で、まず大まかな画像を出力し、順次細かい変化が表示されるなら、初期の段階で画像内容の概要を知ることができます。このような符号化を「プログレッシブ（Progressive）符号化」と呼びます。拡張方式はプログレッシブ符号化を実現するためのオプション機能が主な内容です。」
「（２）プログレッシブ符号化の実現方法
　プログレッシブ符号化の重要な特徴は、大まかな出力画像から徐々に品質を良くして、最終的に原画像を再現することです。その方法としては以下の手段があり、拡張方式ではこれらプログレッシブ符号化機能のいずれか、あるいは組み合わせて適用することができます。また、ハフマン符号のかわりに後述する算術符号を使うことができます。
　ａ）周波数分割型（Spectral　Selection）
　　　ＤＣＴ係数は、画像を周波数成分の組み合わせで表現する場合各成分の大きさを表します。そのうち、周波数の高い成分ほど画像への影響が少ないので、低い周波数成分から順に伝送します。受信側では、途中までのＤＣＴ係数だけを使って、高周波成分による細かい変化はわからなくても大まかな画像を出力できます。また、全部のＤＣＴ係数（すべての画像情報に相当）を受信し終わった時点では原画像を再現できます。」
と記載されているから、画像を符号化する時に、「プログレッシブ符号化」という方式があり、プログレッシブ符号化を実現するために「周波数分割形（プログレッシブ符号化）」があることが理解できる。
　以上のことから、刊行物１には「画像をＤＣＴ変換し、得られたＤＣＴ係数を伝送する際に、周波数分割形プログレッシブ符号化を適用する」符号化の技術に関する発明が開示されているということができる。
　
（４−ｂ）ビット列の生成
　刊行物１には「（３）ＤＣＴ係数の送り方とプログレッシブ符号化
　画像は多数のブロックから構成されています。また、１つのブロックには６４個の画素がありますが、これをＤＣＴ変換すると６４個のＤＣＴ係数が得られます。個々の係数は２進数８桁、すなわち８個の１あるいは０で表されるとします。全画像情報を伝えるには、“８桁”のＤＣＴ係数が“６４個”あるブロックを“ブロックの個数”だけ、すなわち、“１”と“０”を「８×６４×ブロックの数」だけ伝送する必要があります。シーケンシャル、プログレッシブの主な相違点は、これらの伝送順序です。
　次ページの図5-23は、画像情報を表すビットを３次元的に配列したもので、１つの素片は１または０の１ビットを表わし、手前から奥に向かってブロックの情報が並びます。最も手前が最初のブロックです。また、各ブロックごとに、上から下に向かってＤＣＴ係数の値が、周波数の低い（ジグザグスキャンの）順に並んでいます。上端がＤＣ係数（直流分）の値で左から右に８ビットあります。各ＤＣＴ係数の値は左端が最上位桁（ＭＳＢ）、右端が最下位桁（ＬＳＢ）の８ビットで表されます。なお、図中の「スキャン」は画像を一順することを示します（詳しくは、１４７ページの本章４．１項参照）。」とあり、手前から奥に向かってブロックが並んでいて、各ブロックは、上から下に向かってＤＣＴ係数の値が、周波数の低い（ジグザグスキャンの）順に並び、左から右に最上位桁（ＭＳＢ）から最下位桁（ＬＳＢ）となるように（１または０の１ビットが）並んでいるから、各ＤＣＴ変換したブロックごとに、それぞれ、ビット列が生成されているということができる。
　
（４−ｃ）「係数の符号化」
　刊行物１には、「次ページの図5-23は、画像情報を表すビットを３次元的に配列したもので、１つの素片は１または０の１ビットを表わし、手前から奥に向かってブロックの情報が並びます。最も手前が最初のブロックです。また、各ブロックごとに、上から下に向かってＤＣＴ係数の値が、周波数の低い（ジグザグスキャンの）順に並んでいます。上端がＤＣ係数（直流分）の値で左から右に８ビットあります。各ＤＣＴ係数の値は左端が最上位桁（ＭＳＢ）、右端が最下位桁（ＬＳＢ）の８ビットで表されます。なお、図中の「スキャン」は画像を一順することを示します（詳しくは、１４７ページの本章４．１項参照）。
　ブロック順に、手前から奥に向けて伝送するのがシーケンシャルです。周波数分割形は、ジグザグスキャンの順に上から下に向けて伝送します。また近似精度向上形では、ＤＣＴ係数の上位の桁から下位の桁、すなわち左端から右端に向けて伝送します。実際には、量子化、ランレングス等の変換や、ハフマン符号への置き換えを行うので、これら素片をそのまま送るわけではありませんが、情報の大まかな伝送順序は以上のとおりです。周波数分割形や近似精度向上形のプログレッシブ符号化では、ブロック横断的に伝送していることがわかります。
　周波数分割形をシーケンシャルと比較すると、ＤＣＴ係数の伝送順序が変わっているだけですが、近似精度向上形は計数値を桁ごとに分割する処理が必要になります。そのため、プログレッシブを実現するためには周波数分割形を基本とし、近似精度向上形を組み合わせることでさらにプログレッシブの段階を多くすることができます。
２．周波数分割形プログレッシブ符号化
　この方式はSpectral　Selectionと呼ばれ、ＤＣＴ係数の伝送は、ＤＣ係数につづき、ＡＣ係数をジグザグスキャンの順に行ないます。
　８×８画素の１ブロックをＤＣＴ変換したとき、図5-24のような８×８のＤＣＴ係数が得られます。このＤＣＴ係数は全部で６４個ありますが、このＡＣ係数を、たとえば図のように、○１〜○４の４つのグループ（各グループをバンドと呼びます）に分けます。○１は最も周波数の低い部分で、○２○３○４の順に周波数が高くなります。次に○２、さらに○３・・・の順に符号化して伝送します。（電子情報処理組織では、○の中に数字が入った文字は表示することができないので、○の中に数字の１が入った文字は、○１、○の中に数字の２が入った文字は、○２のように表記する。）
　１１４ページの図5-2のようにブロックが１〜ＮまでＮ個あるとき、符号を図5-25の順に並べます。全ブロックのＤＣＴ係数を符号化する点では基本方式と同じなので、最終符号量はほとんど変わりません。
　ＤＣ成分は各ブロックの画素値の平均を表わすので、ＤＣ係数を受信しただけでも、各ブロックの画素値のだいたいの値がわかることになり、画像内容が大まかにわかります。○１のバンドを受信した段階では、○２○３○４の部分のＤＣＴ係数（ＡＣ係数）を０として、逆ＤＣＴを行なえば、高い周波数成分は欠落しているものの概略画像が得られます。さらに、○２部分を全ブロック受信した段階では、○１○２部分に正しいＤＣＴ係数（ＡＣ係数）を使って逆変換することにより、より画質のよい画像を再現できます。次に○３、さらに○４部分のＤＣＴ係数を順次追加することにより高い周波数成分が補充され、最終的に○１〜○４の全てを受信した段階で原画像が再現できます。」とあり、周波数分割形プログレッシブ符号化は、ＤＣＴ係数のうち、まずＤＣ係数を１ブロックからＮブロックまで符号化し、次に、ＡＣ係数の低域部分である○１の部分を１ブロックからＮブロックまで符号化し、次に、ＡＣ係数の○２の部分、ＡＣ係数の○３の部分、ＡＣ係数の○４の部分とブロック横断的に符号化することが記載されているといえる。
　また、「６．スケーラビリティ
　ＭＰＥＧ２は、いろいろなアプリケーションに適用可能な標準方式として位置づけていますので、いろいろな点で互換性があることが望まれます。このような技術をスケーラビリティといいます。スケーラビリティとは、階層的に空間解像度、時間解像度あるいは画像品質などを向上させる機能をさします。ここでいう“階層的”とは、ＪＰＥＧのプログレッシブ符号化やハイアラーキカル符号化のように、段階的に符号を追加することにより品質を向上させることが該当します。」とあるから、ＪＰＥＧのプログレッシブ符号化は、階層的な符号化であって、スケーラビリティを有する符号化であるといえる。
　以上のことから、刊行物１には、周波数分割形プログレッシブ符号化は、スケーラビリティを有する符号化であって、ＤＣＴ係数のうち、まずＤＣ係数を１ブロックからＮブロックまで符号化し、次に、ＡＣ係数の低域部分である○１の部分を１ブロックからＮブロックまで符号化し、次に、ＡＣ係数の○２の部分、ＡＣ係数の○３の部分、ＡＣ係数の○４の部分とブロック横断的に符号化する構成であることが開示されているといえる。
　
（４−ｄ）符号化の開始ブロック
　刊行物１には、ブロックを１から順にＮまで符号化することが記載されていることは、上記（４−ｃ）で検討したとおりである。
　上記ブロックは、通常画像の左上から、右下に向かって順にブロック化されることが普通であるから、ブロック横断的に符号化する順序は、画像の左上から符号化を開始し、右下に向かって順に画像の領域が増加するように、ブロックを順にスキャンしているといえる。
　
（４−ｅ）まとめ
　以上の（４−ａ）ないし（４−ｄ）によれば、刊行物１には以下の技術事項が記載されているということができる。
　
「画像をＤＣＴ変換し、得られたＤＣＴ係数を伝送する際に、周波数分割形プログレッシブ符号化を適用する符号化に関する発明であって、
　各ＤＣＴ変換したブロックごとに、それぞれ、ビット列が生成され、
　周波数分割形プログレッシブ符号化は、スケーラビリティを有する符号化であって、ＤＣＴ係数のうち、まずＤＣ係数を１ブロックからＮブロックまで符号化し、次に、ＡＣ係数の低域部分である○１の部分を１ブロックからＮブロックまで符号化し、次に、ＡＣ係数の○２の部分、ＡＣ係数の○３の部分、ＡＣ係数の○４の部分とブロック横断的に符号化する構成を有し、
　ブロック横断的に符号化する順序は、画像の左上から符号化を開始し、右下に向かって順に画像の領域が増加するように、ブロックを順にスキャンする、
符号化技術。」
　上記符号化技術は、ビット列を生成するするステップ、および、ブロック横断的に符号化するステップ、ブロックを順にスキャンするステップの構成を有する、方法の発明としてとらえることができるから、刊行物１には、以下の方法の発明（以下、刊行物１発明という。）が開示されているといえる。
　
「画像をＤＣＴ変換し、得られたＤＣＴ係数を伝送する際に、周波数分割形プログレッシブ符号化を適用する符号化方法に関する発明であって、
　各ＤＣＴ変換したブロックごとに、それぞれ、ビット列を生成するステップ、
　周波数分割形プログレッシブ符号化は、スケーラビリティを有する符号化であって、ＤＣＴ係数のうち、まずＤＣ係数を１ブロックからＮブロックまで符号化し、次に、ＡＣ係数の低域部分である○１の部分を１ブロックからＮブロックまで符号化し、次に、ＡＣ係数の○２の部分、ＡＣ係数の○３の部分、ＡＣ係数の○４の部分とブロック横断的に符号化するステップを有し、
　ブロック横断的に符号化する順序は、画像の左上から符号化を開始し、右下に向かって順に画像の領域が増加するように、ブロックを順にスキャンするステップ、
を有する符号化方法。」　
　
第５　対比  
　補正後発明と刊行物１発明とを対比してみると、次のことが認められる。
　
（５−ａ）「離散コサイン変換（ＤＣＴ）ブロックのＤＣＴ変換係数により表される画像信号を符号化する方法であって」
　刊行物１発明は「画像をＤＣＴ変換し、得られたＤＣＴ係数を伝送する際に、周波数分割形プログレッシブ符号化を適用する符号化方法に関する発明」である。そして、刊行物１発明の画像をＤＣＴ変換するとき、「８×８画素の１ブロックをＤＣＴ変換したとき、図5-24のような８×８のＤＣＴ係数が得られます。」とあるように、８×８画素のブロックの画像を、ブロックごとにそれぞれＤＣＴ変換して係数を求めているから、画像信号をブロックのＤＣＴ変換係数で表しているといえ、刊行物１発明は、当該ＤＣＴ変換係数を伝送する際に、周波数分割形プログレッシブ符号化を適用する符号化方法に関する発明であるといえるから、刊行物１発明は、離散コサイン変換（ＤＣＴ）ブロックのＤＣＴ変換係数により表される画像信号を符号化する方法ということができ、本願発明と相違がない。
  　
（５−ｂ）「符号化器が、それぞれの個々のＤＣＴ変換ブロックに対するそれぞれのビットストリームを生成するステップ」
　刊行物１発明は「各ＤＣＴ変換したブロックごとに、それぞれ、ビット列を生成するステップ」を有している。
　刊行物１発明は、符号化方法に関する発明であるから、符号化方法を実現するための手段は、符号化器ということができる。
　したがって、刊行物１発明は、符号化器が、各ＤＣＴ変換したブロックごとに、それぞれ、ビット列を生成するステップを有しているといえ、刊行物１発明のビット列と本願発明のビットストリームは、ビットの列という意味で異なるところはないから、刊行物１発明は、符号化器が、それぞれの個々のＤＣＴ変換ブロックに対するそれぞれのビットストリームを生成するステップを有しているいうことができる。
　
（５−ｃ）「前記符号化器が、それぞれの個々のＤＣＴ変換ブロックのそれぞれのビットストリームの選択された部分を周期的に且つ順次に走査することによりスケーラブルビットストリームを得るステップ」
　刊行物１発明は「周波数分割形プログレッシブ符号化は、スケーラビリティを有する符号化であって、ＤＣＴ係数のうち、まずＤＣ係数を１ブロックからＮブロックまで符号化し、次に、ＡＣ係数の低域部分である○１の部分を１ブロックからＮブロックまで符号化し、次に、ＡＣ係数の○２の部分、ＡＣ係数の○３の部分、ＡＣ係数の○４の部分とブロック横断的に符号化するステップを有し」ている。
　すなわち、個々のブロック（１ブロックからＮブロック）のビット列のうち、ＤＣ係数の部分を選択して、１ブロックからＮブロックまで符号化しているから、１ブロックからＮブロックまで選択した部分を走査している。
　そして、当該走査を、ＤＣ係数、ＡＣ係数の○１の部分、ＡＣ係数の○２の部分・・と周期的に順次繰り返し走査しているから、刊行物１発明は、「前記符号化器が、それぞれの個々のＤＣＴ変換ブロックのそれぞれのビットストリームの選択された部分を周期的に且つ順次に走査する」構成を有しているといえる。
　そして、上記プログレッシブ符号化は、スケーラビリティを有する符号化であるから、スケーラブル符号化といえ、スケーラブル符号化によりえら得た符号列は、スケーラブルビットストリームといえる。
　したがって、刊行物１発明は「前記符号化器が、それぞれの個々のＤＣＴ変換ブロックのそれぞれのビットストリームの選択された部分を周期的に且つ順次に走査することによりスケーラブルビットストリームを得るステップ」を有しているといえる。
　
（５−ｄ）「走査周期は、符号化された画像の中心にあるＤＣＴ変換ブロックで開始し、前記符号化された画像の増加する領域内のＤＣＴ変換ブロックを走査し」
　刊行物１発明は「ブロック横断的に符号化する順序は、画像の左上から符号化を開始し、右下に向かって順に画像の領域が増加するように、ブロックを順にスキャンするステップ」を有している。
　すなわち、「順に画像の領域が増加するように、ブロックを順にスキャンするステップ」を有しているから、「前記符号化された画像の増加する領域内のＤＣＴ変換ブロックを走査」する構成を有しているといえる。
　もっとも、本願発明は「走査周期は、符号化された画像の中心にあるＤＣＴ変換ブロックで開始し」ているのに対し、刊行物１発明は「ブロック横断的に符号化する順序は、画像の左上から符号化を開始し、右下に向かって」走査している点で相違する。
　
（５−ｅ）「前記選択された部分のビット数は、ＤＣＴ変換ブロック毎に異なる」
　刊行物１発明は、「前記選択された部分のビット数は、ＤＣＴ変換ブロック毎に異なる」構成を有していない。
　
（５−ｆ）まとめ（一致点・相違点）
　以上まとめると、本願発明と刊行物１発明とは、以下の一致点で一致し、相違点で相違する。
　
（一致点）
　離散コサイン変換（ＤＣＴ）ブロックのＤＣＴ変換係数により表される画像信号を符号化する方法であって、
　当該方法は、
　符号化器が、それぞれの個々のＤＣＴ変換ブロックに対するそれぞれのビットストリームを生成するステップと、
　前記符号化器が、それぞれの個々のＤＣＴ変換ブロックのそれぞれのビットストリームの選択された部分を周期的に且つ順次に走査することによりスケーラブルビットストリームを得るステップとを有し、
　走査周期は、前記符号化された画像の増加する領域内のＤＣＴ変換ブロックを走査する、
　方法。
　
（相違点１）
　本願発明は「走査周期は、符号化された画像の中心にあるＤＣＴ変換ブロックで開始し」ているのに対し、刊行物１発明は「ブロック横断的に符号化する順序は、画像の左上から符号化を開始し、右下に向かって」走査している点。
　
（相違点２）
　刊行物１発明は、「前記選択された部分のビット数は、ＤＣＴ変換ブロック毎に異なる」構成を有していない点。
　
第６　判断
（６−ａ）相違点１について
　刊行物１発明は、画像をＤＣＴ変換し、符号化し送受信する際、「インターネットで受信中に待っている間など、概略でもよいから途中でどんな画像かを知りたい場合があります。受信（復号）の途中で、まず大まかな画像を出力し、順次細かい変化が表示されるなら、初期の段階で画像内容の概要を知ることができます。このような符号化を「プログレッシブ（Progressive）符号化」と呼びます。」とあるように、画像が順次時間をかけて送信される際、まずどのような画像か概略を知りたいという要望をかなえるため、周波数分割形プログレッシブ符号化を適用したものといえる。
　したがって、概略を知るためには、当該画像の特徴的な部分を先に送信し、表示すればよいことは、当業者であれば普通に想起し得たことである。
　そして、画像をブロックに分割して符号化し送受信するものにおいて、画面の中央部のデータを優先的に（先に）送信し、受信側では、上記先に受信した、画面中央部の画像から順次表示を行うことにより、「まず、重要な意味をもつことが多い中央部分から渦巻状に指定して並び替え、さらに、中央部分からの距離によっていくつかのグループに分け、それぞれを別の画像とみなし、・・・中央部分から先に伝送するので、相手側に早く画像の内容を理解させることができる。」（拒絶理由通知書で通知した刊行物４：特開平５−８３５６７号公報、【００２５】）ことや、「視覚的な歪みを目立たなくする」（拒絶理由通知書で通知した刊行物５：特開平５−２５２４９９号公報、【００４３】）ようにすることは、普通に知られていたことであるといえ、刊行物１発明の、画像が順次時間をかけて送信される際、まずどのような画像か概略を知りたいという要望をかなえるため、重要な意味を持つことが多い、画像の中央部部のブロックから、符号化し送受信しようとすることは、当業者が容易に想起し得たことであるということができる。
　したがって、刊行物１発明において、刊行物４、刊行物５に記載された技術事項を適用し、相違点１の構成とすることは、当業者が容易になし得たことである。
　
（６−ｂ）相違点２について
　当審が、拒絶理由通知書で通知した刊行物２には、以下の記載がある。
　
3 Region Masking
The goal of region masking is to achieve improved perceptual quality in “important” regions (perhaps at the expense of reduced quality in other less important locations) while maintaining the bit rate. One possible solution based on scalar quantization of the coefficients is to use finer quantization in the preferred regions as in [3]. 
　
（仮訳）
　リージョンマスキングのゴールは、ビットレートを維持しながら、重要な領域の知覚品質を向上させることを達成することです。（それは、おそらく、他のあまり重要でない領域の品質を犠牲にして切り詰めたものである。）係数のスカラー量子化に基づいた一つの可能な解決方法は、[３]にあるように、優先された領域に対して、より細かい量子化を用いることです。
　
　以上の記載によれば、重要な領域に対して、重要でない領域の品質を犠牲にして切り詰めたビットを割り当てることが記載されているといえ、画像をブロックに分割して符号化を行う場合、上記領域の最小単位は、ブロックであることが普通であるから、重要でない領域（ブロック）は、ビットを少なく割り当て、重要な領域（ブロック）は、多くのビットを割り当てることが、上記刊行物２を見た当業者であれば、普通に想起し得たことといえる。
　そして、刊行物１発明は、画像を符号化する技術であるから、上記符号化する画像に重要な領域と重要でない領域があることは、当業者には当然予測し得たことであり、刊行物２をみた当業者であれば、重要でない領域（ブロック）は、ビットを少なく割り当て、重要な領域（ブロック）は、多くのビットを割り当てることが普通に想起し得たのであるから、刊行物１発明に対して、刊行物２に記載された技術事項を適用し、重要でない領域（ブロック）は、ビットを少なく割り当て、重要な領域（ブロック）は、多くのビットを割り当てることで、ブロックごとに異なるビット数を割り当て、相違点２の構成とすることは、当業者が容易になし得たことであるといえる。
　
第７　効果
　以上のように、上記相違点は、当業者が容易に想到し得たものと認められ、本願発明全体としてみても格別のものはなく、その作用効果も、上記相違点に係る構成の採用に伴って当然に予測される程度のものにすぎず、格別顕著なものがあるとは認められない。
　
第８　まとめ
 　したがって、本願発明は、刊行物１に記載された発明に基づいて当業者が容易に発明をすることができたものであるから、特許法第２９条第２項の規定により特許を受けることができない。
　
　よって、本願は請求項２ないし１０に係る発明について特に検討するまでもなく拒絶されるべきものである。 
　
　よって、結論のとおり審決する。